(57)【要約】【課題】  機器をケーブル余長がとれない場所へ移設する場合でも、電気的接続を保持したままで機器を簡単に移設することができるようにする。【解決手段】  絶縁性基台２上の一方の基台領域２Ａに一方の端子３を構成する第１の端子３Ａと第２の端子３Ｂとが電気的接続を保持して複数対設けられるとともに、絶縁性基台２上の他方の基台領域２Ｂに他方の端子４を構成する第３の端子４Ａと第４の端子４Ｂとが電気的接続を保持して複数対設けられ、絶縁性基台２の一方の基台領域２Ａと他方の基台領域２Ｂとが分離可能に一体化されている。【選択図】  図９
2007179755.tif 000002
【特許請求の範囲】
【請求項１】
一方の機器に接続される一方の端子と、他方の機器に接続される他方の端子とが電気的接続を保持するように絶縁性基台上に設けられた中継端子台であって、
前記絶縁性基台上の一方の基台領域に前記一方の端子を構成する第１の端子と第２の端子とが電気的接続を保持して複数対設けられるとともに、前記絶縁性基台上の他方の基台領域に前記他方の端子を構成する第３の端子と第４の端子とが電気的接続を保持して複数対設けられ、前記絶縁性基台の前記一方の基台領域と前記他方の基台領域とが分離可能に一体化されている、
ことを特徴とする中継端子台。
【請求項２】
前記一方の端子を構成する前記第１の端子および前記他方の端子を構成する前記第４の端子が、ともに前記絶縁性基台の外側の位置に配置されている、
ことを特徴とする請求項１に記載の中継端子台。
【請求項３】
前記第１の端子が前記第２の端子よりも底面から高い位置に配置されるとともに、前記第４の端子が前記第３の端子よりも底面から高い位置に配置されている、
ことを特徴とする請求項１または２に記載の中継端子台。
【請求項４】
前記第１の端子に前記一方の機器が接続されるとともに、前記第４の端子に前記他方の機器が接続される、
ことを特徴とする請求項１〜３のいずれか１項に記載の中継端子台。
【請求項５】
前記絶縁性基台の前記一方の基台領域と他方の基台領域とが分離されるとき、前記第２の端子と前記第３の端子との間に延長ケーブルが接続される、
ことを特徴とする請求項１〜４のいずれか１項に記載の中継端子台。
【請求項６】
一方の機器に接続される一方の端子と、他方の機器に接続される他方の端子とが電気的接続を保持するように絶縁性基台上に設けられた中継端子台を用いた無停電機器移設方法であって、
前記絶縁性基台上の一方の基台領域に前記一方の端子を構成する第１の端子と第２の端子とを電気的接続を保持するように複数対設けるとともに、前記絶縁性基台上の他方の基台領域に前記他方の端子を構成する第３の端子と第４の端子とを電気的接続を保持するように複数対設け、かつ前記一方の基台領域と前記他方の基台領域とを分離可能に一体化して設け、前記第１の端子および前記第４の端子にそれぞれ前記一方の機器および前記他方の機器を接続し、前記第２の端子と前記第３の端子との間に延長ケーブルを接続した後、前記一方の基台領域と前記他方の基台領域とを分離する、
ことを特徴とする無停電機器移設方法。
【請求項７】
前記第２の端子と前記第３の端子との間に前記延長ケーブルを接続するとき、この延長ケーブルの両端部をそれぞれねじ留めによって前記第２の端子および前記第３の端子に接続する、
ことを特徴とする請求項６に記載の無停電機器移設方法。
【請求項８】
前記第２の端子と前記第３の端子との間に延長ケーブルを接続するとき、この延長ケーブルの両端部をそれぞれラッピングによって前記第２の端子および前記第３の端子に接続する、
ことを特徴とする請求項６に記載の無停電機器移設方法。
【発明の詳細な説明】
【技術分野】
【０００１】
本発明は、各種の工事現場などで電気機器間を接続するために使用される中継端子台とこれを用いた無停電機器移設方法に関する。
【背景技術】
【０００２】
送配電設備工事現場、建設工事現場などでは現場作業の効率化を図るため作業用機器として多くの電気機器（以下、単に機器と称する）が使用されるが、これらの作業現場では一方の機器と他方の機器との間は、必要に応じて両機器の取外しが可能なように中継端子台を介して接続されることが多い。この中継端子台と各機器との間はケーブルを介して接続される。
【０００３】
このように、中継端子台を介して複数の機器を接続して工事を行う場合、作業現場によってはあるいは作業内容によっては、いずれか一方の機器を離れた場所へ移設しなければならない場合が生ずる。このようなとき中継端子台と機器とを接続するケーブルに余長がとれればよいが、ケーブル余長がとれないような場所へその機器を移設する場合は、従来はケーブルに割線と称される補助ケーブルを挿入して中継端子台と機器との接続、すなわち機器間の電気的接続を確保している。しかしながら、割線の挿入は複雑な作業を必要とするので、手間がかかるだけでなく多くの費用がかかるため、コストアップが避けられない。
【０００４】
さらに、大きな問題は、割線を挿入するには、一時的に中継端子台と機器との間の電気的接続、すなわち機器間の電気的接続を解除して停電させなければならないことである。このため、その移設予定の機器は一時作動が停止させられてしまうので、機器によっては再作動までに時間がかかるようになったりして、本来の工事に影響を与えることも少なくない。したがって、機器をケーブル余長がとれない場所へ移設する場合でも、電気的接続を保持したままで機器を簡単に移設することができるような中継端子台が望まれている。
【０００５】
このような中継端子台として、ケーブルの接続および解除が容易に行えるようにした構成のものが提供されている。（例えば、特許文献１参照。）。この中継端子台は、一方の端子が設けられている基本端子台と、この基本端子台に固定可能に他方の端子が設けられている分離端子台とを備え、この分離端子台を基本端子台に固定したときに、他方の端子を一方の端子に通電可能に連結するように構成されている。
【０００６】
このような構成の中継端子台によれば、一方の機器に接続されている電気配線（ケーブル）が端子ねじによって上記一方の端子に接続されて一体にされるとともに、他方の機器に接続されている電気配線（ケーブル）が端子ねじによって上記他方の端子に接続されて一体にされ、各ケーブルを中継端子台に接続するときはともに上述の一体のままで予め基本端子台に設けられている連結バーに接触させ、逆に各ケーブルを中継端子台から解除するときはともに上述の一体のままでスプリングの付勢力で連結バーから離すようにしている。
【０００７】
したがって、各ケーブルを中継端子台に着脱するときは、いずれの場合もケーブルと端子とが端子ねじによって一体にされたままで行われるので、それまでの中継端子台のように各ケーブルを中継端子台に着脱するごとに、いちいちケーブルを端子に端子ねじによって締結したり、あるいはケーブルを端子から取り外していたような手間のかかる作業を不要にすることができる。
【特許文献１】特開平１０−２２３２８８号公報
【発明の開示】
【発明が解決しようとする課題】
【０００８】
ところで、上記特許文献１に記載されているような中継端子台では、その構成を基本端子台と分離端子台とに分けるようにしたので各ケーブルの中継端子台への着脱が簡単に行えるようになったものの、中継端子台にケーブルを介して接続されるいずれかの機器を移設する場合に生ずる課題については触れられていない。すなわち、上記特許文献１の中継端子台では、この中継端子台を基本端子台と分離端子台との２つの部分に分けて分離可能に構成しているが、機器を移設する場合にはどのようにして使用するかについては記載されていない。まして、その中継端子台を用いて機器間の電気的接続を保持したままで機器を移設させる方法については全く記載がない。
【０００９】
そこで本発明は、機器をケーブル余長がとれない場所へ移設する場合でも、電気的接続を保持したままで機器を簡単に移設することができる中継端子台および無停電機器移設方法を提供することを目的とする。
【課題を解決するための手段】
【００１０】
上記目的を達成するために請求項１に記載の本発明は、一方の機器に接続される一方の端子と、他方の機器に接続される他方の端子とが電気的接続を保持するように絶縁性基台上に設けられた中継端子台であって、前記絶縁性基台上の一方の基台領域に前記一方の端子を構成する第１の端子と第２の端子とが電気的接続を保持して複数対設けられるとともに、前記絶縁性基台上の他方の基台領域に前記他方の端子を構成する第３の端子と第４の端子とが電気的接続を保持して複数対設けられ、前記絶縁性基台の前記一方の基台領域と前記他方の基台領域とが分離可能に一体化されていることを特徴としている。
（作用）
一方の基台領域に電気的接続を保持するように複数対設けられた第１の端子と第２の端子は一方の機器に接続される一方の端子を構成し、他方の基台領域に電気的接続を保持するように複数対設けられた第３の端子と第４の端子は他方の機器に接続される他方の端子を構成する。また、一方の基台領域と他方の基台領域とは必要に応じて分離することができる。
【００１１】
請求項２に記載の本発明は、請求項１に記載の中継端子台において、前記一方の端子を構成する前記第１の端子および前記他方の端子を構成する前記第４の端子が、ともに前記絶縁性基台の外側の位置に配置されていることを特徴としている。
（作用）
一方の端子を構成する第１及び第２の端子のうち第１の端子が、他方の端子を構成する第３および第４の端子のうち第４の端子がそれぞれ中継端子台の外側に配置される。
【００１２】
請求項３に記載の本発明は、請求項１または２に記載の中継端子台において、前記第１の端子が前記第２の端子よりも底面から高い位置に配置されるとともに、前記第４の端子が前記第３の端子よりも底面から高い位置に配置されていることを特徴としている。
（作用）
一方の端子を構成する第１の端子は第２の端子よりも、他方の端子を構成する第４の端子は第３の端子よりもそれぞれ底面から高い位置に配置されている。
【００１３】
請求項４に記載の本発明は、請求項１から３のいずれかに記載の中継端子台において、前記第１の端子に前記一方の機器が接続されるとともに、前記第４の端子に前記他方の機器が接続されることを特徴としている。
（作用）
中継端子台の外側に配置された第１の端子および第４の端子に、それぞれ一方の機器および他方の機器が接続される。
【００１４】
請求項５に記載の本発明は、請求項１から４のいずれかに記載の中継端子台において、前記絶縁性基台の前記一方の基台領域と他方の基台領域とが分離されるとき、前記第２の端子と前記第３の端子との間に延長ケーブルが接続されることを特徴としている。
（作用）
分離可能に一体化されている一方の基台領域と他方の基台領域とが分離されるとき、第１および第４の端子の内側に配置された第２および第３の端子間に延長ケーブルが接続される。
【００１５】
請求項６に記載の本発明は、一方の機器に接続される一方の端子と、他方の機器に接続される他方の端子とが電気的接続を保持するように絶縁性基台上に設けられた中継端子台を用いた無停電機器移設方法であって、前記絶縁性基台上の一方の基台領域に前記一方の端子を構成する第１の端子と第２の端子とを電気的接続を保持するように複数対設けるとともに、前記絶縁性基台上の他方の基台領域に前記他方の端子を構成する第３の端子と第４の端子とを電気的接続を保持するように複数対設け、かつ前記一方の基台領域と前記他方の基台領域とを分離可能に一体化して設け、前記第１の端子および前記第４の端子にそれぞれ前記一方の機器および前記他方の機器を接続し、前記第２の端子と前記第３の端子との間に延長ケーブルを接続した後、前記一方の基台領域と前記他方の基台領域とを分離することを特徴としている。
（作用）
一方の機器および他方の機器のいずれかを移設する場合は、第１の端子および第４の端子にそれぞれ一方の機器および他方の機器を接続し、第２の端子と第３の端子との間に延長ケーブルを接続した後、一方の基台領域と他方の基台領域とを分離する。
【００１６】
請求項７に記載の本発明は、請求項６に記載の無停電機器移設方法において、前記第２の端子と前記第３の端子との間に前記延長ケーブルを接続するとき、この延長ケーブルの両端部をそれぞれねじ留めによって前記第２の端子および前記第３の端子に接続することを特徴としている。
（作用）
第２の端子と第３の端子との間に延長ケーブルを接続するとき、この延長ケーブルの両端部をそれぞれねじ留めによって第２の端子および第３の端子に接続する。
【００１７】
請求項８に記載の本発明は、請求項６に記載の無停電機器移設方法において、前記第２の端子と前記第３の端子との間に延長ケーブルを接続するとき、この延長ケーブルの両端部をそれぞれラッピングによって前記第２の端子および前記第３の端子に接続することを特徴としている。
（作用）
第２の端子と第３の端子との間に延長ケーブルを接続するとき、この延長ケーブルの両端部をそれぞれラッピングによって第２の端子および第３の端子に接続する。
【発明の効果】
【００１８】
請求項１記載の本発明によれば、絶縁性基台上の一方の基台領域に一方の端子を構成する第１の端子と第２の端子とが電気的接続を保持して複数対設けられるとともに、絶縁性基台上の他方の基台領域に他方の端子を構成する第３の端子と第４の端子とが電気的接続を保持して複数対設けられ、絶縁性基台の一方の基台領域と他方の基台領域とが分離可能に一体化されるように中継端子台を構成したので、一方の端子および他方の端子にそれぞれ接続した機器のいずれか一方を離れた場所に移設する場合は、第１の端子および第４の端子にそれぞれ機器を接続し、第２の端子および第３の端子間に延長ケーブルを接続した後に、一方の基台領域と他方の基台領域とを分離する。これにより、ケーブル余長がとれないような場所に機器を移設する場合でも、従来のようにケーブルに割線を挿入する作業を不要にしてケーブル余長を確保できるので、割線の挿入に伴う複雑な作業から開放することができる。しかも、機器間の電気的接続を保持したまま移設工事を行うことができるので、移設工事中に機器の作動を停止させることがない。したがって、機器を延長ケーブル余長がとれない場所へ移設する場合でも、電気的接続を保持したままで機器を簡単に移設することができる。
【００１９】
請求項６記載の本発明によれば、上述したような中継端子台を用いて機器の移設を行うので、複雑な作業を必要とする割線の挿入を不要にして必要な場所へ簡単に機器を移設することができる。
【発明を実施するための最良の形態】
【００２０】
以下、本発明を図示の実施形態に基づいて説明する。
【００２１】
（実施の形態）
図１は、本発明の実施形態に係る中継端子台の分離前の外観を示す概略底面図、図２は本発明の実施形態に係る中継端子台の分離前の外観を示す図１の概略側面図、図３は本発明の実施形態に係る中継端子台の分離後の外観を示す概略底面図、図４は本発明の実施形態に係る中継端子台の分離後の外観を示す図３の概略側面図である。この中継端子台１は、絶縁性基台２上の一方の基台領域２Ａに一方の機器（図示せず）が接続される一方の端子３が、他方の基台領域２Ｂに他方の機器（図示せず）が接続される他方の端子４がそれぞれ設けられている。さらに、この中継端子台１は、一方の基台領域２Ａには一方の端子３を構成する複数対の第１の端子３Ａと第２の端子３Ｂとが、対向するようにかつ段違いに設けられて、両端子３Ａ、３Ｂは絶縁性基台２の内部に設けられている第１の導体部５Ａを介して電気的接続を保持している。同様にして、他方の基台領域２Ｂには他方の端子４を構成する複数対の第３の端子４Ａと第４の端子４Ｂとが、対向するようにかつ段違いに設けられて、両端子４Ａ、４Ｂは絶縁性基台２の内部に設けられている第２の導体部５Ｂを介して電気的接続を保持している。すなわち、第１の端子３Ａ〜第４の端子４Ｂは、第１の導体部５Ａおよび第２の導体部５Ｂを介して相互に導通している。前述の一方の機器および他方の機器はそれぞれ第１の端子３Ａおよび第４の端子４Ｂに接続される。
【００２２】
一方の端子３を構成する第１の端子３Ａは第２の端子３Ｂよりも底面から高い位置で、かつそれよりも外側の位置に配置されている。同様にして、他方の端子４を構成する第４の端子４Ｂは第３の端子４Ａよりも底面から高い位置で、かつそれよりも外側の位置に配置されている。このような第１の端子３Ａおよび第４の端子４Ｂの配置は、後述するようにそれぞれに一方の機器の機器ケーブルおよび他方の機器の機器ケーブルを接続する際に、接続し易くするための配慮である。また、第２の端子３Ｂと第３の端子４Ａとの間には延長ケーブルが接続される。
【００２３】
第１〜第４の端子３Ａ〜４Ｂにはそれぞれねじ孔（図示せず）が設けられ、これら各端子３Ａ〜４Ｂに各ケーブルが接続されるときは、そのねじ孔に導電性のねじ６Ａ〜６Ｄがそれぞれ第１のおよび第２の導体部５Ａ、５Ｂに接触するまでねじ込まれて、各ケーブルがねじ留めされるようになっている。
【００２４】
図３および図４に示すように、第１および第２の端子３Ａ、３Ｂが設けられた一方の基台領域２Ａと、第３および第４の端子４Ａ、４Ｂが設けられた他方の基台領域２Ｂとは、略中間の位置から分離できるように構成されている。すなわち、一方の基台領域２Ａと他方の基台領域２Ｂとの対向面には、それぞれ互いに嵌合可能な第１の凹凸部７Ａおよび第２の凹凸部７Ｂが設けられて、両基台領域２Ａ、２Ｂを一体化して中継端子台１を組立てるときは各凹凸部７Ａ、７Ｂを嵌合させ、両基台領域２Ａ、２Ｂを分離するときは各凹凸部７Ａ，７Ｂの嵌合を解除することができるように構成されている。各凹凸部７Ａ，７Ｂが嵌合された状態では、一方の基台領域２Ａの第１の導体部５Ａと他方の基台領域２Ｂの第２の導体部５Ｂとが各対ごとに接触して導通するように構成されている。
【００２５】
次に、本中継端子台１を用いた無停電機器移設方法について説明する。
【００２６】
図５は、本発明の実施形態に係る中継端子台１の端子に機器ケーブルを接続する方法を示す概略底面図、図６は本発明の実施形態に係る中継端子台１の端子に機器ケーブルを接続する方法の具体例を示す概略図、図７は本発明の実施形態に係る中継端子台１の端子に延長ケーブルを接続する方法を示す概略底面図、図８は本発明の実施形態に係る中継端子台１の端子に延長ケーブルを接続する方法を示す図７の概略側面図、図９は本発明の実施形態に係る中継端子台１を分離する方法を示す概略底面図、図１０は本発明の実施形態に係る中継端子台１を分離する方法を示す図９の概略側面図である。
【００２７】
まず、図５に示すように、一方の基台領域２Ａと他方の基台領域２Ｂとが、その第１の凹凸部７Ａと第２の凹凸部７Ｂとが嵌合して一体化されて中継端子台１が組立てられている状態で、一方の端子３を構成している複数の第１の端子３Ａに、一方の機器に接続されている一方の機器ケーブル８の複数のワイヤ８Ａ〜８Ｅをそれぞれ接続する。この機器ケーブル８の各ワイヤの接続は、１つのワイヤ８Ａを接続する例で示すと、図６に示すように、予めワイヤ８Ａの先端にターミナル９Ａを接続しておき、このターミナル９Ａのねじ孔９ａにねじ６Ａを第１の端子３Ａのねじ孔（図示せず）を通じて第１の導体部５Ａに接触するまでねじ込むようにして行う。
【００２８】
次に、同様にして、他方の端子４を構成している複数の第４の端子４Ｂに、それぞれ他方の機器に接続されている他方の機器ケーブル１０の複数のワイヤ１０Ａ〜１０Ｅを接続する。この機器ケーブル１０の各ワイヤの接続は、１つのワイヤ１０Ａを接続する例で示すと、図６に準じて、予めワイヤ１０Ａの先端にターミナル（符号省略）を接続しておき、このターミナルのねじ孔にねじ６Ｄを第４の端子４Ｂのねじ孔（図示せず）を通じて第２の導体部５Ｂに接触するまでねじ込むようにして行う。以上によって、一方の機器と他方の機器とは、一方の機器ケーブル８、第１の端子３Ａ、第１の導体部５Ａ、第２の導体部５Ｂ、第４の端子４Ｂ、他方の機器ケーブル１０に至る接続経路（第１の接続経路）を介して導通して電気的接続を保持している。
【００２９】
次に、図７および図８に示すように、一方の端子３を構成している複数の第２の端子３Ｂに、それぞれ延長ケーブル１１の一端側の複数のワイヤ１１Ａ〜１１Ｅを接続する。この延長ケーブル１１の各ワイヤの接続は、１つのワイヤ１１Ａを接続する例で示すと、図６に準じて、予めワイヤ１１Ａの先端にターミナル（符号省略）を接続しておき、このターミナルのねじ孔にねじ６Ｂを第２の端子３Ｂのねじ孔（図示せず）を通じて第１の導体部５Ａに接触するまでねじ込むようにして行う。なお、延長ケーブル１１の長さは機器の移設場所に応じて、予め必要な長さのものを用いるものとする。
【００３０】
次に、同様にして、他方の端子４を構成している複数の第３の端子４Ａに、それぞれ延長ケーブル１１の他端側の複数のワイヤ１１Ａ〜１１Ｅを接続する。この延長ケーブル１１の他端側の各ワイヤの接続は、一端側の各ワイヤ１１Ａ〜１１Ｅの接続に準じて行う。
【００３１】
以上によって、一方の機器と他方の機器とは、上述の第１の接続経路に加えて、一方のケーブル８、第１の端子３Ａ、第１の導体部５Ａ、第２の端子３Ｂ、延長ケーブル１１、第３の端子４Ａ、第２の導体部５Ｂ、第４の端子４Ｂに至る第２の接続経路を介して導通して電気的接続を保持する。
【００３２】
次に、図９および図１０に示すように、中継端子台１をその第１の凹凸部７Ａと第２の凹凸部７Ｂとの嵌合を解除して、一方の基台領域２Ａと第２の基台領域２Ｂとに分離する。これによって、第１の導体部５Ａと第２の導体部５Ｂとの接触が解除されるので、上述の第１の接続経路は非導通となる。しかしながら、第１および第２の導体部５Ａ、５Ｂは第２の端子３Ｂ、延長ケーブル１１、第３の端子４Ａを介して導通しているので、上述の第２の接続経路は導通を維持しているため、一方の機器と他方の機器との電気的接続は保持されている。
【００３３】
次に、そのように両機器間の電気的接続を保持した状態で、延長ケーブル１１を必要な長さだけ延ばして移設する機器を所望の場所に設置する。このように移設工事をしている
場合でも、予め必要な長さの延長ケーブル１１を用いることにより、十分にケーブル余長をとることができる。したがって、機器を作動させたままで所望の場所へ機器を簡単に移設することができる。
【００３４】
以上のように、本中継端子台１によれば、絶縁性基台２上の一方の基台領域２Ａに一方の端子３を構成する第１の端子３Ａと第２の端子３Ｂとが電気的接続を保持して複数対設けられるとともに、絶縁性基台２上の他方の基台領域２Ｂに他方の端子４を構成する第３の端子４Ａと第４の端子４Ｂとが電気的接続を保持して複数対設けられ、絶縁性基台２の一方の基台領域２Ａと他方の基台領域２Ｂとが分離可能に一体化されているので、従来のようにケーブルに割線を挿入する作業を不要にしてケーブル余長を確保でき、割線の挿入に伴う複雑な作業から開放することができる。よって、コストダウンを図ることができる。
【００３５】
また、本中継端子台１によれば、割線の挿入を不要にしたことにより、機器間の電気的接続を保持したまま移設工事を行うことができるので、移設工事中に機器の作動を停止させることがない。すなわち、従来では割線の挿入に伴い、一時的に機器間の電気的接続を解除して機器の作動を停止させてしまうことが避けられなかったが、これを回避できるので本来の工事に影響を与えることがなくなる。
【００３６】
したがって、本中継端子台１によれば、機器をケーブル余長がとれない場所へ移設する場合でも、電気的接続を保持したままで機器を簡単に移設することができる。
【００３７】
また、実施形態に係る中継端子台１では、機器ケーブル８、１０、延長ケーブル１１などのケーブルを、ねじ留めによって各端子に接続する例で説明したが、これに限らず、ＩＤＦのピンなどに置き換えて各ワイヤをラッピングによって接続するようにしてもよい。例えば図１１に示すように、第１の導体部５Ａと導通をとるように中継端子台１の一方の基台領域２Ａの表面まで引き出したピン１２に対して、例えば機器ケーブル８のワイヤ８Ａをラッピングによって接続することもできる。あるいは、各ケーブルの各端子への接続は、ワンタッチの嵌め込み式に構成することもでき、この場合は特に多くのワイヤを有するケーブルに適用することにより、各端子への着脱作業を効率よく行うことができる。  
【００３８】
また、実施形態の中継端子台１では、各端子の数は一例を示したものであり、必要に応じて適宜増減することができる。また、各基台領域の数についても２つに限ることなく、必要に応じて３個以上に分離するように構成することも可能である。
【図面の簡単な説明】
【００３９】
【図１】本発明の実施形態に係る中継端子台の分離前の外観を示す概略底面図。
【図２】本発明の実施形態に係る中継端子台の分離前の外観を示す図１の概略側面図。
【図３】本発明の実施形態に係る中継端子台の分離後の外観を示す概略底面図。
【図４】本発明の実施形態に係る中継端子台の分離後の外観を示す図３の概略側面図。
【図５】本発明の実施形態に係る中継端子台の端子に機器ケーブルを接続する方法を示す概略底面図。
【図６】本発明の実施形態に係る中継端子台の端子に機器ケーブルを接続する方法の具体例を示す概略図。
【図７】本発明の実施形態に係る中継端子台の端子に延長ケーブルを接続する方法を示す概略底面図。
【図８】本発明の実施形態に係る中継端子台の端子に延長ケーブルを接続する方法を示す図７の概略側面図。
【図９】本発明の実施形態に係る中継端子台を分離する方法を示す概略底面図。
【図１０】本発明の実施形態に係る中継端子台を分離する方法を示す図９の概略側面図。
【図１１】本発明の実施形態に係る中継端子台の端子にケーブルを接続する方法を示す概略図。
【符号の説明】
【００４０】
１                中継端子台
２                絶縁性基台
２Ａ              一方の基台領域
２Ｂ              他方の基台領域
３                一方の端子
３Ａ              第１の端子
３Ｂ              第２の端子
４                他方の端子
４Ａ              第３の端子
４Ｂ              第４の端子
５Ａ              第１の導体部
５Ｂ              第２の導体部
６Ａ〜６Ｄ        導電性のねじ
７Ａ              第１の凹凸部
７Ｂ              第２の凹凸部
８                一方の機器ケーブル
８Ａ〜８Ｅ        ワイヤ
９Ａ              ターミナル
９ａ              ねじ孔
１０                他方の機器ケーブル
１０Ａ〜１０Ｅ      ワイヤ
１１                延長ケーブル
１１Ａ〜１１Ｅ      ワイヤ
１２                ピン
【図１】
2007179755.tif 000003
【図２】
2007179755.tif 000004
【図３】
2007179755.tif 000005
【図４】
2007179755.tif 000006
【図５】
2007179755.tif 000007
【図６】
2007179755.tif 000008
【図７】
2007179755.tif 000009
【図８】
2007179755.tif 000010
【図９】
2007179755.tif 000011
【図１０】
2007179755.tif 000012
【図１１】
2007179755.tif 000013